(57)【要約】      （修正有）【課題】写真の画像にくっきりとした立体感を与えることが可能な伝言板機能を備えた写真立てを提供する。【解決手段】写真立て台座２０と、透明圧板３０と、透明面板４０と、第一発光ユニット５０と、第二発光ユニットとによって構成する。写真立て台座は、底板と側壁２１ａ、２１ｂ、２１ｃ、２１ｄを備え、透明圧板は、写真立て台座に設けられるとともに、写真立て台座の底板上方を覆い、透明圧板と底板の間には写真が嵌入され、透明面板は、写真立て台座に設けられるとともに、透明圧板上方に平行に並べて設けられ、透明面板と透明圧板の間は一定の幅をもつ隙間を形成する。又、第一発光ユニット５０は、照明光線を射出するための少なくとも一つの第一発光素子５１ａ、５１ｂ、５１ｃを備え、少なくとも一つの第一発光素子は、該側壁に設けられるとともに、該隙間に正対し、第二発光ユニットは、透明面板に向かって青色光線を射出するための少なくとも一つの第二発光素子６１ａ、６１ｂ、６１ｃを備え、少なくとも一つの第二発光素子は、該透明面板４０の側縁に設けられる。【選択図】図３
0003163310.tif 000002
【実用新案登録請求の範囲】
【請求項１】
写真立て台座と、透明圧板と、透明面板と、第一発光ユニットと、第二発光ユニットとによって構成し、写真を展示するための伝言板機能を備えた写真立てにおいて、
写真立て台座は、底板と側壁を備え、
透明圧板は、写真立て台座に設けられるとともに、写真立て台座の底板上方を覆い、透明圧板と底板の間には写真が嵌入され、
透明面板は、写真立て台座に設けられるとともに、透明圧板上方に平行に並べて設けられ、透明面板と透明圧板の間は一定の幅をもつ隙間を形成し、
第一発光ユニットは、照明光線を射出するための少なくとも一つの第一発光素子を備え、少なくとも一つの第一発光素子は、該側壁に設けられるとともに、該隙間に正対し、
第二発光ユニットは、透明面板に向かって青色光線を射出するための少なくとも一つの第二発光素子を備え、少なくとも一つの第二発光素子は、該透明面板の側縁に設けられることを特徴とする、伝言板機能を備えた写真立て。
【請求項２】
該伝言板機能を備えた写真立ては、該第一発光ユニットと該第二発光ユニットを制御するスイッチユニットを備えることを特徴とする、請求項１に記載の伝言板機能を備えた写真立て。
【請求項３】
該スイッチユニットは多段式スイッチであることを特徴とする、請求項２に記載の伝言板機能を備えた写真立て。
【請求項４】
該伝言板機能を備えた写真立ては、該第一発光ユニットと該第二発光ユニットをそれぞれ個別に制御する第一スイッチユニット及び第二スイッチユニットを備えることを特徴とする、請求項１に記載の伝言板機能を備えた写真立て。
【請求項５】
該第一スイッチユニット及び該第二スイッチユニットはいずれも二段式スイッチであることを特徴とする、請求項４に記載の伝言板機能を備えた写真立て。
【請求項６】
該第一発光素子と該第二発光素子は、発光ダイオード、電球、蛍光灯の内の一つであることを特徴とする、請求項１に記載の伝言板機能を備えた写真立て。
【請求項７】
該写真立て台座には、電池を取り付けるための電池台座が設けられることを特徴とする、請求項１に記載の伝言板機能を備えた写真立て。
【請求項８】
該写真立て台座には、電源変換器に接続し外部電力を得るための電力接続ポートが設けられることを特徴とする、請求項１に記載の伝言板機能を備えた写真立て。
【請求項９】
該底板は、着脱可能に該写真立て台座に設けられることを特徴とする、請求項１に記載の伝言板機能を備えた写真立て。
【請求項１０】
該写真立て台座には、該底板を該写真立て台座に取り付けるための複数の栓状ロック部材が設けられることを特徴とする、請求項９に記載の伝言板機能を備えた写真立て。
【考案の詳細な説明】
【技術分野】
【０００１】
本考案は写真立てに関し、特に伝言板機能を備えた写真立てに関する。
【背景技術】
【０００２】
写真立ては一般的な日用品であり、その主な機能は、写真の保護・保存・展示である。写真立てはインテリアとしての機能も兼ね備えているため、現在の写真立ての設計は見た目の美しさが重視されているとともに、新しい外観が求められており、市場には、多くの精密に作られた独特の写真立てがある。
【０００３】
現在市場でよく見られる照明機能を備えた写真立ては、写真を明るく照らすだけでなく、夜間照明としての役割も果たす。台湾特許第Ｍ３２０３４５号に開示されている発光写真立ては、その内部の空間に照明装置を設け、写真後方から光線を投射し、写真の画像を明るくする。しかしながら、この種の方法では、画像の輪郭の影を強調することができるだけで、画像自体をくっきり示すことはできない。現在の発光写真立ての製品の中には、発光素子を面板側辺に設け、面板の方向へ補助的に光を射出させる方式のものも存在するが、この方法の照明の光線は微弱であり、有効な効果は望めない。
【先行技術文献】
【特許文献】
【０００４】
【特許文献１】台湾特許第Ｍ３２０３４５号明細書
【考案の概要】
【考案が解決しようとする課題】
【０００５】
そこで、本考案は、写真の画像にくっきりとした立体感を与えることが可能な伝言板機能を備えた写真立てを提供することを目的とする。
【課題を解決するための手段】
【０００６】
上述の目的を達するために、本考案による伝言板機能を備えた写真立ては、写真立て台座と、透明圧板と、透明面板と、第一発光ユニットと、第二発光ユニットとによって構成する。写真立て台座は、底板と側壁を備え、透明圧板は、写真立て台座に設けられるとともに、写真立て台座の底板上方を覆い、透明圧板と底板の間には写真が嵌入され、透明面板は、写真立て台座に設けられるとともに、透明圧板上方に平行に並べて設けられ、透明面板と透明圧板の間は一定の幅をもつ隙間を形成し、第一発光ユニットは、照明光線を射出するための少なくとも一つの第一発光素子を備え、少なくとも一つの第一発光素子は、該側壁に設けられるとともに、該隙間に正対し、第二発光ユニットは、透明面板に向かって青色光線を射出するための少なくとも一つの第二発光素子を備え、少なくとも一つの第二発光素子は、該透明面板の側縁に設けられる。
【図面の簡単な説明】
【０００７】
【図１】本考案による伝言板機能を備えた写真立ての一実施形態を示した斜視図である。
【図２】図１の写真立てを別の方向から示した分解図である。
【図３】本考案による伝言板機能を備えた写真立ての一実施形態における第一発光ユニットと第二発光ユニットの配置を示した説明図である。
【図４】本考案による伝言板機能を備えた写真立ての一実施形態の使用状態を示した説明図である。
【図５】本考案による伝言板機能を備えた写真立ての一実施形態の使用状態を示した説明図である。
【図６】本考案による伝言板機能を備えた写真立ての制御システムの実施例１のシステム構造を示した説明図である。
【図７】本考案による伝言板機能を備えた写真立ての制御システムの実施例２のシステム構造を示した説明図である。
【考案を実施するための形態】
【０００８】
本考案の伝言板機能を備えた写真立ての主な特徴は、照明光線と青色光線を照射する第一発光素子と第二発光素子を設けることにある。照明光線は、繰り返し拡散して写真を照らし、写真の画像にくっきりとした立体感を与える。また、青色光線は、透明面板上方の蛍光インク層にきらびやかで美しい蛍光を発生させ、それにより写真立ては伝言板機能を兼ね備えることができる。
【０００９】
図１から図５を同時に参照する。図１は、本考案による伝言板機能を備えた写真立ての一実施形態を示した斜視図であり、図２は、図１の写真立てを別の方向から示した分解図であり、図３は、本考案による伝言板機能を備えた写真立ての一実施形態における第一発光ユニットと第二発光ユニットの配置を示した説明図であり、図４と図５は、本考案による伝言板機能を備えた写真立ての一実施形態の使用状態を示した説明図である。図に示すように、伝言板機能を備えた写真立て１０は、写真立て台座２０と、透明圧板３０と、透明面板４０と、第一発光ユニット５０と、第二発光ユニット６０とによって構成する。伝言板機能を備えた写真立て１０は、写真９１を展示することができるとともに、蛍光ペンで伝言を書くこともできる、
【００１０】
写真立て台座２０は、矩形フレームと、底板２５とによってなる。矩形フレームは、四つの側壁２１ａ、２１ｂ、２１ｃ、２１ｄに囲まれてなり、中間は矩形写真表示口２２を形成する。底板２５は、写真表示口２２の底部を密閉するために用いられるとともに、底板２５には、外側に展開させて写真立てを立てるためのアクティブスタンド２６が設けられる。底板２５は、着脱可能に写真立て台座２０に設けられる。写真立て台座２０は、複数の栓状ロック部材２３を備えており、複数の栓状ロック部材２３は、側壁２１ａ、２１ｂ、２１ｃ、２１ｄ上方に枢設され、底板２５を写真立て台座２０に組み合わせるのを補助するために用いられる。
【００１１】
透明圧板３０と透明面板４０は、それぞれ写真立て台座２０に設けられるとともに、矩形写真表示口２２を密閉する。透明圧板３０は底板２５上方を覆い、写真９１は透明圧板３０と底板２５の間に嵌入される。透明面板４０透明圧板３０上方に平行に並べて設けられ、二つの板の間には一定の幅をもつ隙間２９が形成される。実際に本考案を使用するときは、底板２５を写真立て台座２０から取り外し、写真の画像面を透明圧板３０上に置き、再び底板２５を取り付けると、写真９１の画像は透明圧板３０と透明面板４０を通して外に展示される。
【００１２】
第一発光ユニット５０は、複数の第一発光素子５１ａ、５１ｂ、５１ｃと、駆動回路とを備えており、第一発光素子５１ａ、５１ｂ、５１ｃは、側壁２１ａに設けられるとともに、隙間２９に正対し、照明光線Ｌ１を射出する。第二発光ユニット６０は、複数の第二発光素子６１ａ、６１ｂ、６１ｃと、駆動回路とを備えており、第二発光素子６１ａ、６１ｂ、６１ｃは、透明面板４０の側縁に設けられ、その板体に向かって青色光線Ｌ２を射出する。
【００１３】
なお、伝言板機能を備えた写真立て２０の側壁２１ａ、２１ｂ、２１ｃ、２１ｄは、複数の板体によって構成され、そこに第一発光ユニット５０と第二発光ユニット６０を設けるとともに、電池台座と電力接続ポートを設けることで、電池を取り付けて電力を得るか、或いは電源変換器に接続して外部の電力を取得する。それにより、第一発光ユニット５０と第二発光ユニット６０を駆動させ、第一発光素子５１ａ、５１ｂ、５１ｃと第二発光素子６１ａ、６１ｂ、６１ｃの光線の投射を制御することができる。
【００１４】
第一発光素子５１ａ、５１ｂ、５１ｃから射出された照明光線Ｌ１は、透明圧板３０と透明面板４０の間で繰り返し拡散し、拡散した光によって写真９１は照らされ、その画像にくっきりとした立体感を与える。
【００１５】
また、使用者が蛍光ペンで透明面板４０上方に伝言を書いた時、透明で識別しにくい蛍光インク層９３が残る。第二発光素子６１ａ、６１ｂ、６１ｃが青色光線を射出し、透明面板４０板体内部にまで伝わった時、表面の蛍光インク層９３は、きらびやかで美しい蛍光を発し、事前に書いた伝言の内容が現れる。このようにして、従来の写真立ての機能性、実用性、おもしろみを向上させることができる。
【００１６】
なお、第一発光素子５１ａ、５１ｂ、５１ｃと第二発光素子６１ａ、６１ｂ、６１ｃは、発光ダイオード、電球、蛍光灯等の素子から選択することができ、それらは、適切な駆動回路によって制御を行う。また、第一発光ユニット５０と第二発光ユニット６０は、それぞれ、一つ或いは複数の第一発光素子と第二発光素子を備えることができる。本実施例では、複数の素子を例に挙げているが、本考案の範囲を限定するものではない。また、写真立て台座２０は矩形フレームを例に挙げているが、実務では、自由に外観を変えることができる。
【００１７】
図６は、本考案による伝言板機能を備えた写真立ての制御システムの実施例１のシステム構造を示した説明図である。この実施例では、制御システム７０は、単一のスイッチユニット７１で第一発光ユニット５０と第二発光ユニット６０を制御する。具体的な実施例を挙げると、スイッチユニット７１は、多段式スイッチである。このスイッチユニット７１は、写真立て台座２０に取り付けられ、外部の制御を受けて、第一発光ユニット５０或いは第二発光ユニット６０のいずれかを起動させることもできるし、一度に第一発光ユニット５０と第二発光ユニット６０を同時に起動させることや、同時に発光を停止させることもできる。
【００１８】
図７は、本考案による伝言板機能を備えた写真立ての制御システムの実施例２のシステム構造を示した説明図である。この制御システム８０は、第一スイッチユニット８１と第二スイッチユニット８２によって第一発光ユニット５０と第二発光ユニット６０を制御し、第一発光ユニット５０と第二発光ユニット６０をそれぞれ個別に起動させたり発光を停止させたりする。具体的な実施例を挙げると、スイッチユニット８１、８２は、それぞれ二段式スイッチである。このスイッチユニット８１、８２は、写真立て台座２０に取り付けられ、それぞれ外部の制御を受けて、第一発光ユニット５０と第二発光ユニット６０のオンオフを個別に切り替える。
【００１９】
以上をまとめると、本考案の伝言板機能を備えた写真立ては、第一発光素子の照明光線を透明圧板と透明面板の間で拡散させ写真を照らし、写真の画像にくっきりとした立体感を与え、写真の質感を向上させることができ、また、本考案は、青色光線を射出する第二発光素子を設けることにより、透明面板上方の蛍光インク層にきらびやかで美しい蛍光を発生させ、伝言板機能を兼ね備えさせることができる。このことから分かるように、本考案は、従来の写真立ての機能性、実用性、おもしろみを向上させることができ、製品の価値を高めるのに役立つ。
【符号の説明】
【００２０】
１０  伝言板機能を備えた写真立て
２０  写真立て台座
２１ａ、２１ｂ、２１ｃ、２１ｄ  側壁
２２  写真表示口
２３  栓状ロック部材
２５  底板
２６  アクティブスタンド
２９  隙間
３０  透明圧板
４０  透明面板
５０  第一発光ユニット
５１ａ、５１ｂ、５１ｃ  第一発光素子
６０  第二発光ユニット  
６１ａ、６１ｂ、６１ｃ  第二発光素子
７０、８０  制御システム
７１  スイッチユニット
８１  第一スイッチユニット
８２  第二スイッチユニット
９１  写真
９３  蛍光インク層
Ｌ１  照明光線
Ｌ２  青色光線
【図１】
0003163310.tif 000003
【図２】
0003163310.tif 000004
【図３】
0003163310.tif 000005
【図４】
0003163310.tif 000006
【図５】
0003163310.tif 000007
【図６】
0003163310.tif 000008
【図７】
0003163310.tif 000009